(57)【要約】【課題】  液肥を貯留した管の垂直上方に、蔓性植物を植栽し、簡単な構造で、当該管内の液肥を循環させることを可能とすることにより、軽量、小型、安価な緑化装置の提供にある。【解決手段】  両端面が閉口し、内部の所定の高さまで液肥３が貯留され、且つ、垂直上方の周壁には蔓性植物を植栽するための複数の孔２ｃが形成された水平方向に所定の長さ延在する第一の管２と、第一の管２の内部に設置され、第一の管２の両端面付近まで延在した第二の管７と、第二の管７の一端部に接続され、液肥３を第二の管７の他端部に向けて圧送するためのポンプ８と、を具備したことを特徴とする。【選択図】  図２
2008253181.tif 000002
【特許請求の範囲】
【請求項１】
両端面が閉口し、内部の所定の高さまで液肥が貯留され、且つ、垂直上方の周壁には蔓性植物を植栽するための複数の孔が形成された水平方向に所定の長さ延在する第一の管と、
前記第一の管の内部に設置され、前記第一の管の前記両端面付近まで延在した第二の管と、
前記第二の管の一端部に接続され、前記液肥を前記第二の管の他端部に向けて圧送するためのポンプと、
を具備した
ことを特徴とする緑化装置。
【請求項２】
前記第二の管の前記他端部からは、前記液肥の液面の垂直上方に向けて垂設された管部が形成され、当該管部の端部から、前記ポンプにより圧送された前記液肥が、前記液面に向けて放出される
ことを特徴とする請求項１に記載の緑化装置。
【請求項３】
前記第一の管の両端部には、垂直上方に開口部が形成された
ことを特徴とする請求項１或いは請求項２に記載の緑化装置。
【請求項４】
前記第一の管に形成された前記複数の孔の垂直下方領域と前記ポンプとの間には、前記液肥の流路となる孔が形成された遮断壁が設置され、
当該遮断壁により、前記蔓性植物の根が前記ポンプ周囲まで延出することを防止する
ことを特徴とする請求項１から請求項３の何れかに記載の緑化装置。
【請求項５】
前記第一の管に形成された前記複数の孔の垂直下方領域と前記管部との間には、前記液肥の流路となる孔が形成された遮断壁が設置され、
当該遮断壁により、前記蔓性植物の根が前記管部から前記液肥が放出される位置の垂直下方領域まで延出することを防止する
ことを特徴とする請求項１から請求項４の何れかに記載の緑化装置。
【発明の詳細な説明】
【技術分野】
【０００１】
本発明は、例えば、建造物の屋上や側壁を緑化することを目的として、蔓性植物の栽培を行うための緑化装置に関する。
【背景技術】
【０００２】
従来、例えば、建造物の屋上や側壁を緑化することを目的としては、土壌を屋上に敷設する形態が主流であった。また、特に屋上緑化の場合には、当該屋上の耐荷重の問題から、軽量化土壌を利用したり、全体としての重量が軽くなるような工夫がなされていた（例えば、特許文献１参照)。
【０００３】
【特許文献１】特許第３２８５２０１号公報
【発明の開示】
【発明が解決しようとする課題】
【０００４】
地球規模で温暖化が問題視される中、とりわけ人間活動の活発な都市部においては、ヒートアイランド現象による気温の上昇が著しい。ヒートアイランド現象には数々の要素が絡み合っているが、主要な原因の一つは路面のアスファルトや、ビルのコンクリートに代表される地表面被覆の人工化である。これらに対する有効な策の一つとして、建造物の屋上緑化に注目がされており、自治体による援助等も行われ、推進が図られている。
【０００５】
屋上緑化をはじめとする建造物緑化には、昼間の建造物表面からの対流顕熱を抑制すると同時に断熱効果があるため、建造物の最上階の室内温度の低減に寄与し、冷房の使用を抑制することができる。しかし、屋上緑化施設を導入するにあたり、土壌を主とする各種設備が屋上部分へ掛かる荷重を考慮しなければならないことに加え、頻繁な水遣りの手間、排水の管理や、根が屋上面に入り込んでしまう点など、付随する問題点も少なくなく、簡単に設置することができるものではなかった。さらに、コスト面での負担が大きいことも、都市全体規模で屋上緑化を実現する上での障壁となっていた。
【０００６】
そこで、上記のような問題点を解決するため、建造物の緑化を目的として植栽される植物には、少量の土壌しか必要なく、また軽量で手間が掛かりにくく、且つ、少量の水分で生育するもの、例えば、セダム類などを用いた屋上緑化方法が採用されてきた。
【０００７】
セダムに代表される、屋上緑化に用いられる植物の多くは、水分を蓄えることができ乾燥にも強いという利点を生かすことができる。ところが、土壌に水分が不足している場合には蒸発散量が少なくなるため、蒸発散作用に基づく蒸発潜熱による大気冷却能力が低下する。その上、乾燥した土壌内部に日中の熱が蓄えられてしまうため、建造物内部に熱をこもらせてしまう結果になることもある。
【０００８】
本発明は、上記課題を解決する為になされたものであり、建造物の屋上や側壁に設置され、液肥を循環させることにより植物を栽培する緑化装置の提供にある。特に、液肥を貯留した管の垂直上方の周壁に、蔓性植物を植栽し、簡単な構造で、当該管内の液肥を循環させることを可能とすることにより、軽量、小型、安価な緑化装置の提供にある。
【課題を解決するための手段】
【０００９】
請求項１に記載の発明は、両端面が閉口し、内部の所定の高さまで液肥が貯留され、且つ、垂直上方の周壁には蔓性植物を植栽するための複数の孔が形成された水平方向に所定の長さ延在する第一の管と、前記第一の管の内部に設置され、前記第一の管の前記両端面付近まで延在した第二の管と、前記第二の管の一端部に接続され、前記液肥を前記第二の管の他端部に向けて圧送するためのポンプと、を具備したことを特徴とする。
【００１０】
請求項２に記載の発明は、請求項１に記載の緑化装置において、前記第二の管の前記他端部からは、前記液肥の液面の垂直上方に向けて垂設された管部が形成され、当該管部の端部から、前記ポンプにより圧送された前記液肥が、前記液面に向けて放出されることを特徴とする。
【００１１】
請求項３に記載の発明は、請求項１或いは請求項２に記載の緑化装置において、前記第一の管の両端部には、垂直上方に開口部が形成されたことを特徴とする。
【００１２】
請求項４に記載の発明は、請求項１から請求項３の何れかに記載の緑化装置において、前記第一の管に形成された前記複数の孔の垂直下方領域と前記ポンプとの間には、前記液肥の流路となる孔が形成された遮断壁が設置され、当該遮断壁により、前記蔓性植物の根が前記ポンプ周囲まで延出することを防止することを特徴とする。
【００１３】
請求項５に記載の発明は、請求項１から請求項４の何れかに記載の緑化装置において、前記第一の管に形成された前記複数の孔の垂直下方領域と前記管部との間には、前記液肥の流路となる孔が形成された遮断壁が設置され、当該遮断壁により、前記蔓性植物の根が前記管部から前記液肥が放出される位置の垂直下方領域まで延出することを防止することを特徴とする。
【発明の効果】
【００１４】
本発明は、上記の構成としたことにより、以下の効果を奏する。
【００１５】
請求項１の発明によれば、液肥を貯留した第一の管の垂直上方の周壁に、蔓性植物を植栽し、且つ、第一の管内に設置した第二の管との間において、液肥を循環させることが可能であるため、例えば、２つの槽を接続し、互いの槽の間にて液肥を循環させる必要がなく、軽量、小型、安価な緑化装置を提供することができる。
【００１６】
請求項２の発明によれば、第一の管及び第二の管の間を液肥が循環する過程において、第二の管から液肥が液面に向けて放出される際に曝気されるため、酸素（空気）を含んだ液肥の循環が可能となり、蔓性植物の生長を促進できる。
【００１７】
請求項３の発明によれば、第一の管の両端部には、垂直上方に開口部が形成されているため、当該開口部から、第一の管内にポンプを設置したり、当該ポンプのメンテナンスをしたりすることが可能となり、利便性が向上する。
【００１８】
請求項４の発明によれば、ポンプ周囲まで蔓性植物の根が延出（生長）することを防止できるため、例えば、ポンプ吸い込み口に根がつまったりすることを回避でき、緑化装置の品質が向上する。
【００１９】
請求項５の発明によれば、蔓性植物の根が管部から液肥が放出される位置の垂直下方領域まで延出（生長）することを防止できるため、例えば、管部から液面に向けて液肥が曝気される際に、根の影響を受けず、良好に液肥に酸素（空気）を取り込むことができる。
【発明を実施するための最良の形態】
【００２０】
実施の形態．
以下、本発明に係る緑化装置の一実施形態について、図面に基づいて説明する。
【００２１】
図１は、本発明に係る一実施形態の緑化装置の上面図である。図２は、図１に示すＩ−Ｉ断面図である。図３は、図１に示すII−II断面図であり、生長した蔓性植物を併せて図示している。
【００２２】
図１〜図３において、１は緑化装置である。以下、緑化装置１の構成について、詳細に説明する。
【００２３】
２は第一の管であり、両端面が閉口した筒状の管である。なお、本実施の形態では、第一の管は、図３に示す通り、断面が円形となっているが、これに限らず、矩形でもよく、その形状は限定されない。また、例えば、第一の管が断面矩形の場合、少なくともその一側面（周壁）は、蓋として機能する別部材とし、第二の管を内部に設置した後に、当該一側面（周壁）を接合させる構成でも良い。
【００２４】
第一の管２は、長手方向の縦断面がコの字に形成（図２参照）され、両端部には、所定の長さ垂直上方に延出した開口部２ａ、２ｂが形成されている。また、長手方向の中央部の垂直上方の周壁には、蔓性植物を植栽するための孔２ｃが形成されている。なお、蔓性植物としては、サツマイモ、ヒョウタン、ヘチマ、キュウリ、カボチャ、ニガウリなどが好ましく、その中でも、サツマイモがより好ましい。
【００２５】
３は第一の管２の内部に所定の高さまで貯留された液肥である。液肥３の貯留量（液面高さ）は、フロート４により制御されており、フロート４の浮き沈みに応じ、液肥タンク５から圧送ポンプ６を介し、適宜、第一の管２に液肥３が補充される。すなわち、第一の管２に貯留された液肥３は、蔓性植物に吸収される分、その貯留量が減少するが、本実施形態では、フロート４、液肥タンク５、圧送ポンプ６により、貯留量が一定になるように制御している。なお、このようなフロート４、液肥タンク５、圧送ポンプ６は必須の構成要件ではなく、これに換えて、手動で液肥３を補充しても良い。
【００２６】
７は第二の管であり、その一部が液肥３に浸水するように、第一の管２の内部に設置されている。第二の管７は、液肥３に浸水している圧送ポンプ８に接続され、液肥３の液面より垂直上方に延在した管部７ａ、当該管部７ａと接続され、液肥３の液面より垂直上方にて水平方向に延在した管部７ｂ、液肥３に浸水した状態、すなわち、第一の管２の底部付近において、水平方向に延在した管部７ｄと管部７ｂを接続するための管部７ｃ、管部７ｄの圧送ポンプ８設置位置と対向する側の端部から液肥３の液面より垂直上方に延在した管部７ｅから形成されている。
【００２７】
すなわち、液肥３は、第一の管２の一端面付近から、当該第一の管２の内部に設置された圧送ポンプ８により吸入されることにより、第二の管７（管部７ａ、管部７ｂ、管部７ｃ、管部７ｄ、管部７ｅ）の内部を流れ、第一の管２の他端面付近にて、液肥３の液面に向け、垂直上方から放出され、さらに、第一の管２の内部を圧送ポンプ８の設置方向に向け流れることにより、循環している。なお、図２に示す矢印Ａは、このような液肥３の循環を示している。
【００２８】
９ａは管部７ｂに設けられたバルブであり、圧送ポンプ８により、管部７ｂにおける矢印Ｂ方向に流れる液肥の流量を制御するものである。矢印Ｂ方向に流れる液肥３は、液肥３の液面に向け、垂直上方から放出される。
【００２９】
９ｂは管部７ｅに設けられたバルブであり、圧送ポンプ８により、管部７ｂにおける矢印Ａ方向から、管部７ｃ、７ｄ、７ｅへと流れる液肥の流量を制御するものである。したがって、バルブ９ｂを調整することにより、矢印Ａ方向に流れる液肥３の流量、すなわち、循環する液肥３の流量を制御することができる。
【００３０】
以上を纏めると、バルブ９ａ及び９ｂを調整することにより、圧送ポンプ８から汲み上げられた液肥３の一部は管部７ａから管部７ｂを通る矢印Ａ方向に、残りは管部７ａから管部７ｂを通る矢印Ｂ方向に流れることになる。
【００３１】
１０は遮断壁であり、液肥３の流路となる孔１０ａが形成され、液肥３の流路を確保しつつ、第一の管２を遮断している。同様に、１１も遮断壁であり、液肥３の流路となる孔１１ａが形成され、液肥３の流路を確保しつつ、第一の管２を遮断している。
【００３２】
なお、遮断壁１０（或いは遮断壁１１）は、近接した２枚を一組として設けることが好ましく、この場合、液肥３の流路となる孔１０ａ（或いは孔１１ａ）は、液肥３の液面高さ以下の高さにおいて、互いに異なる高さに孔１０ａ（或いは孔１１ａ）が形成された２枚の遮断壁を一組とする。これにより、根の延在を一組の遮断壁１０（或いは遮断壁１１）により確実に防止することができる。
【００３３】
以下、上述した構成の緑化装置１の動作について説明する。
【００３４】
まず、第一の管２に、液肥タンク５から圧送ポンプ６により、開口部２ａから液肥３を供給し、所望の高さまで貯留する。
【００３５】
次に、孔２ｃに蔓性植物を植栽する。なお、蔓性植物の根は、孔２ｃから第一の管２の内部に延出し、液肥３にその一部が浸水した状態とする。また、本実施形態では、根の生長の妨げとならないように、第二の管７を第一の管２の底部に設置しており、根が生長するための空間を確保している。
【００３６】
一般に、蔓性植物は、その根を液肥に浸水させた状態に植栽する場合、液肥を循環させた方が、その生長が促進されることが知られている。また、液肥に取り込まれた酸素が多いほど、その生長が促進されることが知られている。
【００３７】
したがって、本実施形態では、上述した通り、液肥３を第一の管２と第二の管７との間で循環させると共に、当該循環過程において、管部７ｂ及び管部７ｅから液肥３の液面に向け、垂直上方から液肥３を放出（すなわち、曝気）することにより、液肥３に酸素を取り込む工夫をしている。
【００３８】
また、蔓性植物の根が生長していくにつれ、第一の管２の両端面方向に向けて、根が延出していくことになるが、本実施形態では、遮断壁１０及び１１により、根の延出を防止している。これにより、圧送ポンプ８の吸い込み口に根がつまることを防止でき、また、管部７ｅから液肥３を放出（曝気）させる際に、根の影響を受けず、良好に酸素を取り込むことができる。
【００３９】
以上に説明した緑化装置１は、建造物の屋上や地表側壁に設置され、当該屋上や側壁を緑化するために利用される。このような緑化装置１は、液肥３を貯留するひとつの槽（第一の管２）のみを有し、当該槽（第一の管２）に蔓性植物を植栽するとともに、当該槽内において、液肥３を循環させることにより、蔓性植物の生長を促進するものである。
【００４０】
したがって、非常に小型、軽量となり、設置が容易である。また、地表側壁に設置する場合には、長手方向に連ねて設置することにより、幅広の地表側壁においても有効に緑化することができる。
【００４１】
以上の通り、本実施形態の緑化装置１について、適宜、奏する効果も含め説明したが、以下、緑化装置１の奏する主な効果について、纏めて説明する。
【００４２】
液肥３を貯留した第一の管２の垂直上方の周壁に形成された孔２ｃに、蔓性植物を植栽し、且つ、第一の管２の内部に設置した第二の管７との間において、液肥３を循環させることが可能であるため、例えば、２つの槽を接続し、互いの槽の間にて液肥を循環させる必要がなく、軽量、小型、安価な緑化装置を提供することができる。
【００４３】
第一の管２及び第二の管７の間を液肥３が循環する過程において、第二の管７から液肥３が液面に向けて放出される際に曝気されるため、酸素（空気）を含んだ液肥３の循環が可能となり、蔓性植物の生長を促進できる。
【００４４】
第一の管２の両端部には、垂直上方に開口部２ａ、２ｂが形成されているため、当該開口部２ａ、２ｂから、第一の管２の内部にポンプ８を設置したり、当該ポンプ８のメンテナンスをしたりすることが可能となり、利便性が向上する。
【００４５】
遮断壁１０を設けることにより、ポンプ８の周囲まで蔓性植物の根が延出（生長）することを防止できるため、例えば、ポンプ８の吸い込み口に根がつまったりすることを回避でき、緑化装置の品質が向上する。
【００４６】
遮断壁１１を設けることにより、蔓性植物の根が管部７ｅから液肥３が放出される位置の垂直下方領域まで延出（生長）することを防止できるため、例えば、管部７ｅから液面に向けて液肥３が曝気される際に、根の影響を受けず、良好に液肥３に酸素（空気）を取り込むことができる。
【００４７】
ポンプ８の設置位置と第一の管２の端面近くとの間において、液肥３を循環させることができるため、ポンプ８の設置位置を第一の管２の端面近くに設置できない場合においても、当該第一の管２の端面近くに液肥３が滞留してしまうことを防止できる。
【００４８】
また、バルブ９ｂを調整することにより、第一の管２と第二の管７との間を循環する液肥３の流量を制御できるため、蔓性植物の生長に適した環境を実現できる。
【図面の簡単な説明】
【００４９】
【図１】本発明に係る一実施形態の緑化装置の上面図である。
【図２】図１に示すＩ−Ｉ断面図である。
【図３】図１に示すII−II断面図である。
【符号の説明】
【００５０】
１  緑化装置
２  第一の管
２ａ、２ｂ  開口部
２ｃ  孔
３  液肥
７  第二の管
７ａ、７ｂ、７ｃ、７ｄ、７ｅ  管部
８  ポンプ
１０、１１  遮断壁
１０ａ、１１ａ  孔
【図１】
2008253181.tif 000003
【図２】
2008253181.tif 000004
【図３】
2008253181.tif 000005